(57)【特許請求の範囲】
【請求項１】
器具本体と、防水部材と、前記防水部材を介して前記器具本体に支持される光源ユニットとを備え、
前記光源ユニットは、光源と、前記光源を支持し、且つ１つ又は複数の固定ねじによって前記器具本体にねじ止めされる取付部材とを有し、
前記器具本体は、前記取付部材がねじ止めされる１つ又は複数の部位にそれぞれ貫通孔が設けられ、
前記取付部材は、１つ又は複数の前記貫通孔と対向する位置にそれぞれ雌ねじ部が設けられ、
前記防水部材は、筒状に形成され、１つ又は複数の前記貫通孔に各別に挿通される１つ又は複数のボスを有し、
前記ボスは、前記固定ねじが挿通される挿通孔を有する筒状であって、前記貫通孔から先端部分が突出するように構成され、
前記先端部分は、前記固定ねじの頭部に押される先端面から、前記貫通孔に向かって外径を徐々に大きくするように構成され、
前記挿通孔は、第１挿通孔と、前記第１挿通孔に繋がる第２挿通孔とを有し、
前記第１挿通孔は、前記ボスの前記先端面に近い側に設けられ、
前記第２挿通孔は、前記第１挿通孔の内径よりも大きく且つ前記第１挿通孔の前記先端面から遠い方の端部と繋がるように構成され、
前記挿通孔における前記第１挿通孔と前記第２挿通孔の境界部分は、前記先端面に向かって徐々に内径を小さくするような円錐台面形状に形成される
ことを特徴とする照明器具。
【発明の詳細な説明】
【技術分野】
【０００１】
本発明は、照明器具に関し、特に、雨などに曝される防水型の照明器具に関する。
【背景技術】
【０００２】
従来例として、特許文献１記載の照明器具を例示する。特許文献１記載の従来例は、駅のプラットホームなどの風雨に曝される場所に設置される防水型の照明器具である。この従来例は、２つの光源ユニット、器具本体、電源ユニット、防水部材などを備える。
【０００３】
光源ユニットは、発光ダイオードを光源とし、長尺の棒状に形成される。器具本体は、長手方向に直交する断面形状が台形となる、長尺の角筒状に形成される。器具本体は、広い方の底面側で被取付面に取り付けられ、狭い方の底面に、２つの光源ユニットが長手方向に一列に並べてねじ止めされる。なお、電源ユニットは、器具本体内に収納されて、電気ケーブルにより、各光源ユニットと電気的に接続される。
【０００４】
防水部材は、シリコーン樹脂のような弾性を有する材料により、扁平な矩形の箱状に形成されて光源ユニットの上面（器具本体に取り付けられる面）に被せられる。つまり、防水部材は、光源ユニットの上面と器具本体の底面との間に配置され、光源ユニットが器具本体にねじ止めされたときに圧縮されて、光源ユニットと器具本体の底面との間の隙間を塞いで浸水を防ぐように構成されている。
【０００５】
ここで、防水部材には、上向きに突出する円筒形状のボスが設けられている。当該ボスは、器具本体の底板（光源ユニットがねじ止めされる部位）に貫通する孔に挿通される。そして、ボスを貫通している挿通孔に固定ねじが挿通され、当該挿通孔の下側に配置された光源ユニットの雌ねじに固定ねじがねじ込まれる。つまり、ボスは、器具本体の底板の孔と光源ユニットの雌ねじを閉塞して浸水を防ぐように構成されている。
【先行技術文献】
【特許文献】
【０００６】
【特許文献１】特開２０１４−２２１３８号公報
【発明の概要】
【発明が解決しようとする課題】
【０００７】
ところで、特許文献１記載の従来例において、ボスの先端部分が均一な外径を有する円筒形状に形成されている。そのため、ボスの先端部分は、固定ねじの頭部に押し潰されたときに外径を大きくする方向に変形し易い。その結果、固定ねじの首部（頭部と軸部の境界部分）と挿通孔の内周面との間の隙間が埋まらず、前記隙間を通して浸水する可能性があった。
【０００８】
本発明は、上記課題に鑑みてなされたものであり、従来よりも防水性能の向上を図ることを目的とする。
【課題を解決するための手段】
【０００９】
本発明の照明器具は、器具本体と、防水部材と、前記防水部材を介して前記器具本体に支持される光源ユニットとを備え、前記光源ユニットは、光源と、前記光源を支持し、且つ１つ又は複数の固定ねじによって前記器具本体にねじ止めされる取付部材とを有し、前記器具本体は、前記取付部材がねじ止めされる１つ又は複数の部位にそれぞれ貫通孔が設けられ、前記取付部材は、１つ又は複数の前記貫通孔と対向する位置にそれぞれ雌ねじ部が設けられ、前記防水部材は、筒状に形成され、１つ又は複数の前記貫通孔に各別に挿通される１つ又は複数のボスを有し、前記ボスは、前記固定ねじが挿通される挿通孔を有する筒状であって、前記貫通孔から先端部分が突出するように構成され、前記先端部分は、前記固定ねじの頭部に押される先端面から、前記貫通孔に向かって外径を徐々に大きくするように構成され、前記挿通孔は、第１挿通孔と、前記第１挿通孔に繋がる第２挿通孔とを有し、前記第１挿通孔は、前記ボスの前記先端面に近い側に設けられ、前記第２挿通孔は、前記第１挿通孔の内径よりも大きく且つ前記第１挿通孔の前記先端面から遠い方の端部と繋がるように構成され、前記挿通孔における前記第１挿通孔と前記第２挿通孔の境界部分は、前記先端面に向かって徐々に内径を小さくするような円錐台面形状に形成されることを特徴とする。
【発明の効果】
【００１０】
本発明の照明器具は、従来よりも防水性能の向上を図ることができるという効果がある。
【図面の簡単な説明】
【００１１】
【図１】本発明に係る照明器具の実施形態を示す分解斜視図である。
【図２】同上の断面図である。
【図３】同上の断面図である。
【図４】同上における防水部材を示し、図４Ａは正面図、図４Ｂは左側面図、図４Ｃは断面図である。
【図５】図５Ａ及び図５Ｂは同上における防水部材の断面図である。
【図６】図６Ａは同上における防水部材の取付構造を示す要部の断面図、図６Ｂは比較例における防水部材の取付構造を示す要部の断面図である。
【発明を実施するための形態】
【００１２】
以下、本発明に係る照明器具の実施形態について、図面を参照して詳細に説明する。なお、本実施形態の照明器具は、駅のプラットホームなどに設置される照明器具であるが、これに限定されず、防水型の照明器具全般に本発明の技術思想が適用可能である。また、本実施形態では光源として発光ダイオードが用いられるが、発光ダイオード以外の光源、例えば、有機エレクトロルミネセンス素子などが用いられても構わない。
【００１３】
本実施形態の照明器具は、図１〜図３に示すように、器具本体と、防水部材５と、防水部材５を介して器具本体に支持される光源ユニット１とを備える。また、本実施形態の照明器具は、電源ユニット４を備えることが好ましい。ただし、以下の説明においては、特に断りの無い限り、図１において、前後・左右・上下の各方向を規定する。
【００１４】
光源ユニット１は、図２に示すようにＬＥＤモジュール１０、放熱部材１１、絶縁部材１２、取付部材１３、カバー１４などを備えることが好ましい。ＬＥＤモジュール１０は、実装基板１００と複数個の発光ダイオードを有する。実装基板１００は、絶縁材料（例えば、セラミック）によって長尺の板状に形成されることが好ましい。複数個の発光ダイオードは、実装基板１００の下面の中央部（前後方向の中央部）に、長手方向（左右方向）に沿って等間隔且つ直線状に並べて実装されることが好ましい。また、複数個の発光ダイオードは、透光性を有し且つ蛍光材料が混合された合成樹脂製の封止部材１０１で封止されることが好ましい。すなわち、発光ダイオードから放射される光（例えば、青色光）の一部が蛍光材料で波長変換され、波長変換された光（例えば、黄色光）と波長変換されなかった光（青色光）が混ざることにより、ＬＥＤモジュール１０から放射される光が全体として白色光となる。なお、実装基板１００の下面には、各発光ダイオードのカソード及びアノードを電気的に接続する導電体が形成される。
【００１５】
放熱部材１１は、主片１１０と、一対の側片１１１とを有することが好ましい。主片１１０は、長尺の平板状に形成され、絶縁部材１２を介してＬＥＤモジュール１０が載置される。また、一対の側片１１１は、主片１１０の両端（長手方向に沿った両端）より主片１１０の厚み方向に延びるように構成されることが好ましい。なお、主片１１０と一対の側片１１１とは、熱伝導度の高い材料（例えば、アルミ板）によって一体に形成されることが好ましい。
【００１６】
絶縁部材１２は、平板部１２０と、一対の当接部１２１と、一対の反射部１２２とが合成樹脂成形体として一体に形成されることが好ましい。平板部１２０は、放熱部材１１の主片１１０とＬＥＤモジュール１０の間に介装される。当接部１２１は、平板部１２０の両端（長手方向に沿った両端）よりＬＥＤモジュール１０に近付く向きに立ち上がるように構成される。反射部１２２は、各当接部１２１の先端より突出するように構成される。また、反射部１２２は、当接部１２１から離れるに従って外側に開くように傾斜し、ＬＥＤモジュール１０に対向する下面が反射面となってＬＥＤモジュール１０から放射される光を下方へ反射するように構成される。なお、放熱部材１１の主片１１０には突条部１１２が設けられる。この突条部１１２は、絶縁部材１２が放熱部材１１の主片１１０上に載置された状態において、平板部１２０の中央に貫通した長孔状の挿通孔１２３に挿通される。つまり、挿通孔１２３に挿通される突条部１１２が実装基板１００に当接し、発光ダイオードの発する熱が実装基板１００から突条部１１２を通じて放熱部材１１に伝導されて放熱される。
【００１７】
取付部材１３は、鋼板などの金属板が曲げ加工されることで角樋状に形成されることが好ましい。また、取付部材１３は、側片１１１間に収納された状態で放熱部材１１に固定されることが好ましい。さらに、取付部材１３には取付金具１５を用いてレセプタクルコネクタ１６が取り付けられることが好ましい（図３参照）。取付金具１５は、レセプタクルコネクタ１６を保持する矩形枠状のコネクタ保持部を有して取付部材１３の上側に取り付けられる。
【００１８】
レセプタクルコネクタ１６は、光源ユニット１の導電体と電気的に接続された電線が接続される接続端子部と、それぞれにプラグコネクタ７が差し込まれる２つのコネクタ接続部とを有する。プラグコネクタ７は、電線を介して電源ユニット４に電気的に接続され、且つレセプタクルコネクタ１６に挿抜自在に差込接続される。すなわち、プラグコネクタ７がレセプタクルコネクタ１６に差込接続されることで電源ユニット４と光源ユニット１が電気的に接続され、電源ユニット４から光源ユニット１に給電されてＬＥＤモジュール１０が発光（点灯）する。
【００１９】
カバー１４は、アクリル樹脂やポリカーボネート樹脂などの透光性を有する合成樹脂材料により、底部１４０と底部１４０の周囲を囲む側部１４１を有する長尺の矩形箱状に形成されることが好ましい。また、長手方向に沿った一対の側部１４１には、放熱部材１１の側片１１１に形成されている複数の係合突起が係脱自在に係合する複数の係合凹部が形成されることが好ましい。そして、カバー１４はＬＥＤモジュール１０、放熱部材１１、絶縁部材１２、取付部材１３を内部に収納するようにして放熱部材１１に被着され、放熱部材１１の複数の係合突起が側部の係合凹部に係合することで放熱部材１１に固定されることが好ましい。
【００２０】
反射部材３は、水平面とほぼ平行になる下底部３０と、下底部３０の長手方向に沿った端縁より斜め上向きに突出する一対の側壁部３１と、下底部３０の短手方向に沿った端縁より上向きに突出する一対の終端部３２とを有する箱状に形成されることが好ましい。そして、後述する防水部材５が装着された後、下底部３０に取付部材１３がねじ止めされることによって下底部３０の下面側に２つの光源ユニット１が取り付けられる。すなわち、下底部３０には、光源ユニット１をねじ止めするための固定ねじ８が挿通される貫通孔３００が、１つの光源ユニット１について２つずつで合計４つ設けられることが好ましい（図３参照）。ただし、これら４つの貫通孔３００は、２つの光源ユニット１を長手方向に沿って直線状に並べて取り付けるように、下底部３０の長手方向に沿って直線状に配置されることが好ましい。
【００２１】
また、反射部材３の下底部３０は、光源ユニット１の取付金具１５及びレセプタクルコネクタ１６が挿通される２つの挿通孔３３が長手方向の両端にそれぞれ貫設されることが好ましい（図２参照）。したがって、下底部３０の下面側に光源ユニット１が取り付けられると、２つの挿通孔３３を通して各光源ユニット１のレセプタクルコネクタ１６が取付金具１５とともに反射部材３（下底部３０）の上面側に配置される（図３参照）。また、下底部３０の長手方向の両端に雌ねじ部３４が設けられており、各雌ねじ部３４にねじ込まれるねじ３５によって、反射部材３が本体部２に固定される（図３参照）。
【００２２】
本体部２は、長尺の角樋状に形成された主部２０と、主部２０の長手方向における両端にそれぞれ配設される２つの固定部２１とを有することが好ましい。主部２０の底面には、複数のボルト挿通孔２２が設けられることが好ましい。例えば、プラットホームの屋根から垂下される取付ボルトがボルト挿通孔２２に挿通され、取付ボルトにナットが締め付けられることで本体部２が取付ボルトに取り付けられる。また、主部２０の底面には、プラットホームの屋根に配線されている電源線が導入される導入孔２３が長手方向のほぼ中央に設けられることが好ましい。なお、導入孔２３から導入される電源線は電源ユニット４の電源端子部４２に接続される。
【００２３】
固定部２１は、一対の脚片２１１と、これら一対の脚片２１１の下端同士を連結する平板状の固定片２１０とが金属板を曲げ加工することで一体に形成されることが好ましい。各脚片２１１は、上端部分に２つの係合孔２１１０が設けられている。また、固定片２１０の中央にねじ孔２１００が貫通している。そして、主部２０の長手方向に沿った側壁２４から曲げ起こされた２つの係合爪２４０が各係合孔２１１０に係合されることにより、一対の脚片２１１が側壁２４に結合されて固定部２１が主部２０に取り付けられる。
【００２４】
電源ユニット４は、電源線を介して供給される交流電力を直流電力に変換する電力変換回路等が金属製のケース４０に収納され、さらに、防水ケース４１に収納された状態で器具本体の本体部２に取り付けられることが好ましい（図１〜図３参照）。電源ユニット４は、図３に示すように長手方向の一端側に２つの出力端子部４３が設けられ、長手方向の他端側に電源端子部４２が設けられることが好ましい。電源ユニット４の各出力端子部４３に接続される電線の先端にそれぞれプラグコネクタ７が設けられることが好ましい。
【００２５】
防水部材５は、図４Ａ及び図５Ａに示すように下面が開口した扁平な矩形箱状のベース５０と、ベース５０の長手方向における一端部の上面から突出するボックス５１とが弾性を有する材料（例えば、シリコーン樹脂）で一体に形成されることが好ましい。そして、防水部材５は、図２及び図３に示すように上面側（取付部材１３側）から被せられるように光源ユニット１に装着される。
【００２６】
ベース５０は、矩形平板状に形成されて光源ユニット１の上面に密着する主部５００と、主部５００の周縁から全周に亘って垂下される側壁部５０１と、主部５００と側壁部５０１の結合部分から主部５００の全周に亘って上向きに突出する突部５０２とを有する。
【００２７】
主部５００は、長手方向に沿って略４等分された位置に、上向きに突出するボス５０３がそれぞれ設けられることが好ましい。これら２つのボス５０３には、それぞれ挿通孔５０４が貫通されることが好ましい（図４Ｃ及び図５Ｂ参照）。これらの挿通孔５０４には、取付部材１３を反射部材３の下底部３０にねじ止めするための固定ねじ８が挿通される。
【００２８】
側壁部５０１は、図５Ａに示すように光源ユニット１のカバー１４の側部１４１に圧接する複数（図示例では２つ）のリブ５０５が内周面に突設されることが好ましい。これらのリブ５０５は、三角柱状であって、側壁部５０１の内周面から全周に亘り且つ上下に並行して突設されることが好ましい。また、側壁部５０１の先端（下端）は、主部５００に近付くにつれてカバー１４の側部１４１から離れる向きに傾斜した形状に形成されることが好ましい（図５Ｂ参照）。
【００２９】
ボックス５１は、下面が開口した矩形箱状に形成され、底壁５１０の長手方向における一端部に一対の電線保持部５１１が下向きに突設されることが好ましい（図２参照）。電線保持部５１１は、断面形状が円形で上下方向に貫通する電線挿通孔５１１０と、電線挿通孔５１１０の内周面から周方向に沿って突出する複数の突条部５１１１とを有することが好ましい。電線挿通孔５１１０には、プラグコネクタ７に接続されている電線が挿通される。そして、突条部５１１１の先端が電線の被覆に圧接することにより、電線挿通孔５１１０に対して電線が抜け止めされ、且つ電線を伝ってボックス５１内に水が浸入することが防止される。
【００３０】
而して、光源ユニット１のレセプタクルコネクタ１６にプラグコネクタ７が電気的に接続され、プラグコネクタ７に電気的に接続されている電線が、電線保持部５１１の電線挿通孔５１１０に挿通されてボックス５１の外に引き出される。その後、ベース５０の開口内に光源ユニット１の上部を収めるようにして防水部材５が光源ユニット１に装着される（図２参照）。ここで、防水部材５の側壁部５０１に設けられているリブ５０５が光源ユニット１のカバー１４の側部１４１に圧接するため、側壁部５０１とカバー１４の側部１４１との隙間の防水性の向上が図られる。さらに、防水部材５の側壁部５０１同士の間隔が上述のような寸法に設定されているため、側部１４１に対するリブ５０５の圧接力が増大し、さらなる防水性の向上が図られる。
【００３１】
光源ユニット１は、上部に防水部材５が装着された状態で器具本体（反射部材３の下底部３０）にねじ止めされる。すなわち、光源ユニット１の取付部材１３には、それぞれに固定ねじ８がねじ込まれる４つの雌ねじ部１３０が、長手方向に沿って直線状に並ぶように設けられることが好ましい。これらの雌ねじ部１３０は、例えば、取付部材１３の天板がバーリング加工されて形成されることが好ましい。
【００３２】
ところで、ボス５０３は、固定ねじ８が挿通される挿通孔５０４を有する筒状であって、下底部３０に設けられる貫通孔３００に挿通され、先端部分５０３０が下底部３０の上面から突出するように構成される（図５Ａ及び図５Ｂ参照）。この先端部分５０３０は、固定ねじ８の頭部８０に押される先端面から、挿通孔５０４に向かって外径を徐々に大きくするように構成される。例えば、先端部分５０３０は、円錐台形状に形成されることが好ましい。なお、ボス５０３は、先端部分５０３０の下が円筒形状に形成され、且つ主部５００と繋がる基端部分が円錐台形状に形成されることが好ましい。
【００３３】
また、挿通孔５０４は、第１挿通孔５０４０と、第１挿通孔５０４０に繋がる第２挿通孔５０４１とを有することが好ましい（図５Ｂ参照）。第１挿通孔５０４０は、ボス５０３の先端面に近い側に設けられることが好ましい。第２挿通孔５０４１は、第１挿通孔５０４０の内径よりも大きく且つ第１挿通孔５０４０の先端面から遠い方の端部と繋がるように構成されることが好ましい。さらに、挿通孔５０４における第１挿通孔５０４０と第２挿通孔５０４１の境界部分は、先端面に向かって徐々に内径を小さくするような円錐台面形状に形成されることが好ましい（図５Ｂ参照）。なお、挿通孔５０４は、防水部材５が光源ユニット１の上部に装着された状態では、取付部材１３の雌ねじ部１３０と、前後・左右・上下の各方向に沿って重なるように構成される。
【００３４】
次に、防水部材５が装着された光源ユニット１を器具本体（反射部材３の下底部３０）に取り付ける手順について、図６Ａを参照して説明する。なお、反射部材３は、光源ユニット１が取り付けられた後、予め取付ボルトに取り付けられた本体部２に固定される。
【００３５】
まず、作業者は、防水部材５の２つのボス５０３を、下底部３０の２つの貫通孔３００にそれぞれ挿通する。続いて、作業者は、貫通孔３００に挿通したボス５０３の挿通孔５０４に、それぞれワッシャ９を介して固定ねじ８を挿通し、挿通孔５０４と重なる雌ねじ部１３０に固定ねじ８をねじ込む。２本の固定ねじ８がそれぞれ取付部材１３の雌ねじ部１３０にねじ込まれることにより、光源ユニット１が防水部材５を介して器具本体（反射部材３）にねじ止めして取り付けられる。
【００３６】
ところで、作業者が固定ねじ８を締めるにつれ、固定ねじ８の頭部８０と取付部材１３との距離が短くなり、ボス５０３の先端部分５０３０が固定ねじ８の頭部８０からワッシャ９を介して下向きの力を受ける。このとき、図６Ｂに示す比較例のように、ボス５０３の先端部分５０３０の外径が一定であると、固定ねじ８の頭部８０から力を受けたときに、先端部分５０３０が外向きに倒れるように変形してしまう可能性が高い。そして、ボス５０３の先端部分５０３０が外向きに倒れるように変形すると、挿通孔５０４が大きくなり、挿通孔５０４の内周面と固定ねじ８の軸部８１との間に隙間が生じ易くなる。
【００３７】
これに対して本実施形態では、ボス５０３の先端部分５０３０の外径が、貫通孔３００に向かって徐々に大きくなっているため、先端部分５０３０の外径が一定である場合と比較して、先端部分５０３０を内向きに倒す向きの応力が生じ易くなる。そして、ボス５０３の先端部分５０３０が内向きに倒れるように変形すれば、第１挿通孔５０４０が小さくなり、第１挿通孔５０４０の内周面と固定ねじ８の軸部（雄ねじ部）８１とが密着する。その結果、本実施形態の照明器具は、固定ねじ８とボス５０３の挿通孔５０４との間に雨水が浸入し難くなり、従来よりも防水性能の向上を図ることができる。
【００３８】
また、第１挿通孔５０４０の内径よりも第２挿通孔５０４１の内径の方が大きいので、下向きの力を受けた先端部分５０３０が、第２挿通孔５０４１内に入り込むように変形し、第１挿通孔５０４０をさらに小さくする（図６Ａ参照）。その結果、第１挿通孔５０４０の内周面と固定ねじ８の軸部８１との密着度合を高めることができる。
【００３９】
上述のように本実施形態の照明器具は、器具本体（本体部２、反射部材３）と、防水部材５と、防水部材５を介して器具本体に支持される光源ユニット１とを備える。光源ユニット１は、光源（ＬＥＤモジュール１０）と、光源を支持し、且つ１つ又は複数の固定ねじ８によって器具本体にねじ止めされる取付部材１３とを有する。器具本体は、取付部材１３がねじ止めされる１つ又は複数の部位にそれぞれ貫通孔３００が設けられる。取付部材１３は、１つ又は複数の貫通孔３００と対向する位置にそれぞれ雌ねじ部１３０が設けられる。防水部材５は、筒状に形成され、１つ又は複数の貫通孔３００に各別に挿通される１つ又は複数のボス５０３を有する。ボス５０３は、固定ねじ８が挿通される挿通孔５０４を有する筒状であって、貫通孔３００から先端部分５０３０が突出するように構成される。先端部分５０３０は、固定ねじ８の頭部８０に押される先端面から、貫通孔３００に向かって外径を徐々に大きくするように構成される。
【００４０】
本実施形態の照明器具は上述のように構成され、固定ねじ８の頭部８０で先端面を押すことにより、ボス５０３の先端部分５０３０を内向きに倒すように変形させることができる。その結果、本実施形態の照明器具は、挿通孔５０４の内周面と固定ねじ８とを密着させて雨水を浸入し難くし、従来よりも防水性能の向上を図ることができる。
【００４１】
また、本実施形態の照明器具において、挿通孔５０４は、第１挿通孔５０４０と、第１挿通孔５０４０に繋がる第２挿通孔５０４１とを有することが好ましい。第１挿通孔５０４０は、ボス５０３の先端面に近い側に設けられることが好ましい。第２挿通孔５０４１は、第１挿通孔５０４０の内径よりも大きく且つ第１挿通孔５０４０の先端面から遠い方の端部と繋がるように構成されることが好ましい。
【００４２】
本実施形態の照明器具が上述のように構成されれば、固定ねじ８の頭部８０に押される先端部分５０３０が、第２挿通孔５０４１内に入り込むように変形し、第１挿通孔５０４０をさらに小さくすることができる。その結果、本実施形態の照明器具は、第１挿通孔５０４０の内周面と固定ねじ８の軸部８１との密着度合を高め、防水性能の更なる向上を図ることができる。
【００４３】
なお、固定ねじ８の頭部８０がワッシャ９を介さずに、直接、ボス５０３の先端部分５０３０を押すように構成されても構わない。また、下底部３０に貫通孔３００が形成される際にバーリング加工が施され、下底部３０における貫通孔３００の周囲に円錐台形状の突起３０１が設けられることが好ましい（図６Ａ参照）。この場合、固定ねじ８の頭部８０が直接若しくはワッシャ９を介して突起３０１の先端に接触することにより、固定ねじ８を介して器具本体（本体部２、反射部材３）と光源ユニット１の取付部材１３を電気的に導通させることができる。
【符号の説明】
【００４４】
１  光源ユニット
２  本体部（器具本体）
３  反射部材（器具本体）
５  防水部材
８  固定ねじ
１０  ＬＥＤモジュール（光源）
１３  取付部材
８０  頭部
１３０  雌ねじ部
３００  貫通孔
５０３  ボス
５０４  挿通孔
５０３０  先端部分
５０４０  第１挿通孔
５０４１  第２挿通孔
【図１】
0006443799.tif 000002
【図２】
0006443799.tif 000003
【図３】
0006443799.tif 000004
【図４】
0006443799.tif 000005
【図５】
0006443799.tif 000006
【図６】
0006443799.tif 000007